(57)【要約】【課題】簡易な構成で、複数の電極パッドを生体表面の適切な位置に導くことができる電気治療器を提供する。【解決手段】電気治療器１００は、第１電極パッド４１および第２電極パッド４２と、第１電極パッド４１および第２電極パッド４２が生体表面に押し当てられた状態を維持するための保持部材２０と、を備える。保持部材２０は、生体表面の第１目標位置に第１電極パッド４１を導き、生体表面の第２目標位置に第２電極パッド４２を導くための位置合わせ部３０を有する。位置合わせ部３０を生体の基準位置に位置合わせすることにより、第１電極パッド４１および第２電極パッド４２は、疼痛を緩和可能なデルマトームに導かれる。【選択図】図３
2019103734.tif 000002
【特許請求の範囲】
【請求項１】
電流を生体に供給するための第１電極パッドおよび第２電極パッドと、
前記第１電極パッドおよび前記第２電極パッドを保持するとともに、前記第１電極パッドおよび前記第２電極パッドが生体表面に押し当てられた状態を維持するための保持部材と、を備え、
前記保持部材は、前記第１電極パッドおよび前記第２電極パッドを生体表面に押し当てる際に、生体表面の第１目標位置に前記第１電極パッドを導き、生体表面の第２目標位置に前記第２電極パッドを導くための位置合わせ部を有し、
前記位置合わせ部を生体の基準位置に位置合わせすることにより、前記第１電極パッドおよび前記第２電極パッドは、疼痛を緩和可能なデルマトームに導かれる、電気治療器。
【請求項２】
前記保持部材は、下肢に巻付け可能に構成されるとともに、下肢に巻き付けた巻付状態において周方向となる長さ方向を有し、
前記第１電極パッドは、前記位置合わせ部に対して前記長さ方向の一方側に配置されており、
前記第２電極パッドは、前記位置合わせ部に対して前記長さ方向の他方側に配置されている、請求項１に記載の電気治療器。
【請求項３】
前記長さ方向における前記位置合わせ部から前記第１電極パッドまでの距離と、前記長さ方向における前記位置合わせ部から前記第２電極パッドまでの距離とが互いに異なる、請求項２に記載の電気治療器。
【請求項４】
前記第１電極パッドおよび前記第２電極パッドは矩形形状を有し、
使用者の正面から見た場合に膝橈骨の中心を下肢に沿って通過する仮想線に前記位置合わせ部が重なるように前記保持部材が膝に巻き付けられた巻付状態において、前記第１電極パッドの上端および前記第２電極パッドの上端が膝蓋骨の下端から１０ｍｍ下方に位置し、前記位置合わせ部寄りに位置する前記第１電極パッドの端部が前記仮想線に重なり、前記位置合わせ部寄りに位置する前記第２電極パッドの端部が前記仮想線から３０ｍｍ離れて位置する、請求項３に記載の電気治療器。
【発明の詳細な説明】
【技術分野】
【０００１】
本開示は、電気治療器に関する。
【背景技術】
【０００２】
国際公開ＷＯ２０１３／１２４９１１（特許文献１）には、胴部用電極装着部材、左膝用電極装着部材、および右膝用電極装着部材によって構成される電気刺激装置が開示されている。
【０００３】
胴部用電極装着部材には、胴部に巻き付けられた巻付状態において胴部の左側面に向かい合う左側面用電極と胴部の右側面に向かい合う右側面用電極とが設けられている。左膝用電極装着部材には、左膝に巻き付けられた状態において、左膝の大部分に巻き付けられる左膝用電極が設けられている。右膝用電極装着部材には、右膝に巻き付けられた状態において、右膝の大部分に巻き付けられる右膝用電極が設けられている。
【０００４】
左側面用電極と左膝用電極との極性は、互いに異なっており、人体に電気刺激を付与する際には、左側面用電極および左膝用電極の一方側からそれらの他方側に向けて電気が流れる。同様に、右側面用電極と右膝用電極との極性は、互いに異なっており、人体に電気刺激を付与する際には、右側面用電極および右膝用電極の一方側からそれらの他方側に向けて電気が流れる。
【先行技術文献】
【特許文献】
【０００５】
【特許文献１】国際公開ＷＯ２０１３／１２４９１１
【発明の概要】
【発明が解決しようとする課題】
【０００６】
特許文献１に開示の電気刺激装置にあっては、人体に電気を流す際に、胴部用電極装着部材、左膝用電極装着部材、および右膝用電極装着部材を使用しなければならず、その構成が大掛かりとなる。左下肢側および右下肢側のいずれかに電気を流したい場合であっても、左膝用電極装着部材および右膝用電極装着部材のいずれかと胴部用電極装着とを装着しなければならず、使用者の手間となる。
【０００７】
また、胴部用電極装着部材を巻き付ける場合にあっては使用者が自由に巻き付けることが可能であるため、左側面用電極および右側面用電極が所定の位置に配置されるとは限られず、さらに、左膝用電極および右膝用電極も膝の周囲に全体的に巻き付けられるため、必ずしも効果的に電流を流せるとは言えなかった。
【０００８】
本開示は、上記のような問題に鑑みてなされたものであり、本開示の目的は、簡易な構成で、複数の電極パッドを生体表面の適切な位置に導くことができる電気治療器を提供することにある。
【課題を解決するための手段】
【０００９】
本開示の電気治療器は、電流を生体に供給するための第１電極パッドおよび第２電極パッドと、上記第１電極パッドおよび上記第２電極パッドを保持するとともに、上記第１電極パッドおよび上記第２電極パッドが生体表面に押し当てられた状態を維持するための保持部材と、を備える。上記保持部材は、上記第１電極パッドおよび上記第２電極パッドを生体表面に押し当てる際に、生体表面の第１目標位置に上記第１電極パッドを導き、生体表面の第２目標位置に第２電極パッドを導くための位置合わせ部を有し、上記位置合わせ部を生体の基準位置に位置合わせすることにより上記第１電極パッドおよび上記第２電極パッドは、疼痛を緩和可能なデルマトームに導かれる。
【００１０】
上記構成によれば、保持部材が位置合わせ部を有する簡易な構成で、当該位置合わせ部を生体の基準位置に位置合わせすることにより、第１電極パッドおよび第２電極パッドを生体表面の適切な位置に導くことができる。
【００１１】
上記本開示の電気治療器にあっては、上記保持部材は、下肢に巻付け可能に構成されるとともに、下肢に巻き付けた巻付状態において周方向となる長さ方向を有していてもよい。上記第１電極パッドは、上記位置合わせ部に対して上記長さ方向の一方側に配置されていてもよく、上記第２電極パッドは、上記位置合わせ部に対して上記長さ方向の他方側に配置されていてもよい。
【００１２】
上記構成によれば、生体の基準位置に対して一方側および他方側に第１電極パッドおよび第２電極パッドを導くことができる。
【００１３】
上記本開示の電気治療器にあっては、上記長さ方向における上記位置合わせ部から上記第１電極パッドまでの距離と、上記長さ方向における上記位置合わせ部から上記第２電極パッドまでの距離とが互いに異なっていてもよい。
【００１４】
上記構成によれば、第１電極パッドおよび第２電極パッドを互いに異なるデルマトームに配置しやすくなる。
【００１５】
上記本開示の電気治療器にあっては、上記第１電極パッドおよび上記第２電極パッドは矩形形状を有していてもよい。この場合には、使用者の正面から見た場合に膝橈骨の中心を下肢に沿って通過する仮想線に上記位置合わせ部が重なるように上記保持部材が膝に巻き付けられた巻付状態において、上記第１電極パッドの上端および上記第２電極パッドの上端が膝蓋骨の下端から１０ｍｍ下方に位置することが好ましい。さらに、上記位置合わせ部寄りに位置する上記第１電極パッドの端部が上記仮想線に重なることが好ましく、上記位置合わせ部寄りに位置する上記第２電極パッドの端部が上記仮想線から３０ｍｍ離れて位置することが好ましい。
【００１６】
上記構成によれば、効果的に疼痛緩和効果を得ることができる。
【発明の効果】
【００１７】
本開示によれば、簡易な構成で、複数の電極パッドを生体表面の適切な位置に導くことができる電気治療器を提供することができる。
【図面の簡単な説明】
【００１８】
【図１】実施の形態１に係る電気治療器を示す概略断面図である。
【図２】実施の形態１に係る電気治療器を示す平面図である。
【図３】実施の形態１に係る電気治療器の分解斜視図である。
【図４】実施の形態１に係る電気治療器を右膝の下方に巻付けた巻付状態を示す図である。
【図５】図４に示す巻付状態において第１電極パッドおよび第２電極パッドが生体表面に接触する位置を示す図である。
【図６】図４に示す巻付状態において第１電極パッドおよび第２電極パッドが生体表面に接触する位置とデルマトームとの関係を示す図である。
【図７】実施の形態２に係る電気治療器の平面図を示す図である。
【図８】実施の形態２に係る電気治療器を腰に巻き付けた際に第１電極パッドおよび第２電極パッドが生体表面に接触する位置とデルマトームとの関係を示す図である。
【図９】実施の形態３に係る電気治療器を両手に装着した装着状態を示す概略図である。
【図１０】図９に示す装着状態において第１電極パッドおよび第２電極パッドが生体表面に接触する位置とデルマトームとの関係を示す図である。
【発明を実施するための形態】
【００１９】
以下、本開示の実施の形態について、図を参照して詳細に説明する。なお、以下に示す実施の形態においては、同一のまたは共通する部分について図中同一の符号を付し、その説明は繰り返さない。
【００２０】
（実施の形態１）
図１は、実施の形態１に係る電気治療器を示す概略断面図である。図２は、実施の形態１に係る電気治療器を示す平面図である。図３は、実施の形態１に係る電気治療器の分解斜視図である。図１から図３を参照して、実施の形態１に係る電気治療器１００について説明する。
【００２１】
図１から図３に示すように、実施の形態に係る電気治療器１００は、本体部１０、保持部材２０、第１電極パッド４１および第２電極パッド４２を備える。
【００２２】
電気治療器１００は、たとえば、使用者の体表面に接触された第１電極パッド４１および第２電極パッド４２に低周波パルス電流を供給することで、使用者の疼痛を緩和する低周波治療器である。低周波パルス電流の周波数は、たとえば、１Ｈｚ以上１２００Ｈｚ以下である。
【００２３】
保持部材２０は、たとえば、使用者の右下肢に巻付け可能に構成されている。保持部材２０は、巻付け前の状態において長尺状の形状を有する。保持部材２０は、平面視した場合に略矩形形状を有する。
【００２４】
保持部材２０は、第１電極パッド４１および第２電極パッド４２を保持するとともに、第１電極パッド４１および第２電極パッド４２が使用者の体表面に押し当てられた状態を維持する。
【００２５】
保持部材２０は、右下肢に巻付けられた巻付状態において周方向となる長さ方向（ＤＲ１方向）、当該長さ方向に直交する幅方向（ＤＲ２方向）を有する。保持部材２０は、巻付状態において使用者の体表面に対向する第１主面２０ａおよび当該第１主面２０ａの反対側に位置する第２主面２０ｂを有する。
【００２６】
保持部材２０は、第１部材２１、第２部材２２、および位置合わせ部としてのマーク部３０を有する。第１部材２１および第２部材２２は、可撓性を有する。第１部材２１は、巻付状態において保持部材２０の外周側を構成する部材である。巻付状態において外周側となる第１部材２１の表面（保持部材２０の第２主面２０ｂ）は、後述する面ファスナ２５を係止可能に構成されている。第１部材２１には、後述する本体部１０の第１端子１１１および第２端子１１２に対応する位置に開口部２６，２７が設けられている。
【００２７】
第２部材２２は、巻付状態において保持部材２０の内周側を構成する部材である。巻き付状態において内周側となる第２部材２２の表面（保持部材２０の第１主面２０ａ）には、面ファスナ２５が設けられている。巻付状態において、面ファスナ２５が第２主面２０ｂに係止されることにより、保持部材２０が右下肢に固定される。
【００２８】
第２部材２２には、第１電極パッド４１および第２電極パッド４２に対応する位置に窓部２３，２４が設けられている。窓部２３，２４が設けられることにより、巻付状態において、第１電極パッド４１および第２電極パッド４２を使用者の体表面に接触させることができる。
【００２９】
本体部１０は、保持部材２０に固定されている。本体部１０は、保持部材２０の第２主面２０ｂ側に位置する。本体部１０は、電流供給部１１および筐体１２を含む。電流供給部１１は、第１電極パッド４１および第２電極パッド４２に電流を供給する。電流供給部１１は、回路基板１１０に搭載されている。
【００３０】
回路基板１１０には、電気治療器１００の各部の動作を制御する制御部が設けられている。回路基板１１０には、第１端子１１１および第２端子１１２が設けられている。第１端子１１１は、第１電極パッド４１に電気的に接続されている。第２端子１１２は、配線部４４によって第２電極パッド４２に電気的に接続されている。なお、第１電極パッド４１は、第１端子１１１に直接接続されずに、配線によって第１端子１１１に電気的に接続されてもよい。
【００３１】
筐体１２は、箱型形状を有する。筐体１２は、内部に電流供給部１１および回路基板１１０を収容する。筐体１２は、保持部材２０の第２主面２０ｂ側に配置されている。筐体１２の正面側には、電源ボタン１３、および電気刺激強度の調整を行なうための調整ボタン１４が設けられている。
【００３２】
マーク部３０は、第１電極パッド４１および第２電極パッド４２を体表面に押し当てる際に、右下肢の特定の位置（基準位置）に位置合わせすることにより、第１電極パッド４１および第２電極パッド４２を、疼痛を緩和可能なデルマトームに導くための目印である。
【００３３】
マーク部３０は、直線形状を有する。マーク３０部は、保持部材２０の幅方向に沿って延在する。マーク部３０は、保持部材２０の第２主面２０ｂ上に設けられている。
【００３４】
マーク部３０は、本体部１０から露出するように設けられている。これにより、使用者が保持部材２０を巻き付ける際に、使用者は、マーク部３０を容易に視認することができる。このため、後述するようにマーク部３０を使用者の特定の位置に容易に位置合わせすることができる。
【００３５】
第１電極パッド４１および第２電極パッド４２は、多角形状を有する。なお、多角形状には、角部が丸みを帯びたものも含まれるものとする。第１電極パッド４１および第２電極パッド４２は、たとえば、正方形形状を有する。第１電極パッド４１および第２電極パッド４２において、保持部材２０の長さ方向に平行な長さは、たとえば４０ｍｍであり、保持部材２０の幅方向に平行な長さが、たとえば４０ｍｍである。
【００３６】
なお、第１電極パッド４１および第２電極パッド４２は、多角形状に限定されず、楕円形、長円形、およびトラック形状等のオーバル形状、または、円形状であってもよい。
【００３７】
第１電極パッド４１および第２電極パッド４２は、保持部材２０に固定される。第１電極パッド４１および第２電極パッド４２は、上記長さ方向に沿って並んで配置されている。第１電極パッド４１は、マーク部３０に対して上記長さ方向の一方側に配置されている。第２電極パッド４２は、マーク部３０に対して上記長さ方向の他方側に配置されている。
【００３８】
上記長さ方向におけるマーク部３０から第１電極パッド４１までの距離と、上記長さ方向におけるマーク部３０から第２電極パッド４２までの距離とは、互いに異なる。たとえば、マーク部３０から第２電極パッド４２までの距離は、マーク部３０から第１電極パッド４１までの距離よりも大きい。
【００３９】
たとえば、第２電極パッド４２側に位置する第１電極パッド４１の端部は、マーク部３０の中心線と重なる。第１電極パッド４１側に位置する第２電極パッド４２の端部は、マーク部３０の中心線からたとえば３０ｍｍ離れて位置する。
【００４０】
このような位置関係とする場合には、保持部材２０を右膝に巻き付けた場合に、第１電極パッド４１および第２電極パッド４２を後述するように、好適にデルマトームに導くことができる。
【００４１】
第１電極パッド４１および第２電極パッド４２は、第２部材２２の窓部２３，２４から露出する。これにより、巻付状態において、第１電極パッド４１および第２電極パッド４２を使用者の体表面に接触させることができる。
【００４２】
第１電極パッド４１および第２電極パッド４２は、使用者に電流を流すための電極パッドである。第１電極パッド４１および第２電極パッド４２を使用者の体表面に接触させた状態で、第１電極パッド４１および第２電極パッド４２に電流を供給することにより、使用者に電流を流すことができる。
【００４３】
図４は、実施の形態に係る電気治療器を右膝の下方に巻付けた巻付状態を示す図である。図５は、図４に示す巻付け状態において第１電極パッドおよび第２電極パッドが体表面に接触する位置を示す図である。図４および図５を参照して、電気治療器１００を右膝の下方に巻付けた巻付け状態について説明する。
【００４４】
図４に示すように、電気治療器１００を右膝の下方に巻付ける際には、使用者の正面から見た場合に、右膝蓋骨２１５の中心を右下肢の長さ方向に沿って通過する仮想線ＶＬ１にマーク部３０が重なるように、保持部材２０を巻き付ける。この右膝蓋骨２１５の中心は、生体の基準位置となる。なお、仮想線ＶＬ１とマーク部３０の中心線とを重ねることが好ましい。仮想線ＶＬ１とマーク部３０とが重なった状態で、面ファスナ２５を第２主面２０ｂに係止する。
【００４５】
上記仮想線ＶＬ１に重なるようにマーク部３０を位置合わせすることにより、第１電極パッド４１が第１目標位置に導かれ、第２電極パッド４２が第２目標位置に導かれる。
【００４６】
具体的には、第１電極パッド４１は、使用者の正面から見た場合に、上端が右膝蓋骨２１５の下端から１０ｍｍ下方に位置し、第２電極パッド４２側に位置する端部が仮想線ＶＬ１上または当該仮想線ＶＬ１に近接するように、導かれる。
【００４７】
第２電極パッド４２は、使用者の正面から見た場合に、上端が右膝蓋骨２１５の下端から１０ｍｍ下方に位置し、第１電極パッド４１側に位置する端部が、第１電極パッド４１の第２電極パッド４２側に位置する端部から右下肢の内側に向けて３０ｍｍ離れて位置するように、導かれる。
【００４８】
図６は、図４に示す巻付状態において第１電極パッドおよび第２電極パッドが体表面に接触する位置とデルマトームとの関係を示す図である。
【００４９】
皮膚の表面は、デルマトーム（皮膚知覚帯）と呼ばれる特定の領域に分割されていることが知られている。下肢においては、皮膚の表面は、図６に示すように、デルマトームＬ２〜Ｌ５、Ｓ１に分割されている。各領域は、１つの脊髄神経根の感覚神経線維に支配されており、各領域での感覚情報は、感覚神経線維によって、それぞれ特定の脊髄神経根に伝達される。
【００５０】
マーク部３０を仮想線ＶＬ１に重なるように位置合わせすることにより、巻付状態において、第１電極パッド４１および第２電極パッド４２は、使用者の体表面上において互いに異なるデルマトームに接触する。
【００５１】
具体的には、第１電極パッド４１は、デルマトームＬ４に接触し、第２電極パッド４２は、デルマトームＬ３に接触する。第１電極パッド４１および第２電極パッド４２が互いに異なるデルマトームに接触する状態で電流を流すことにより、効果的に治療を行なうことができる。
【００５２】
なお、第１電極パッド４１は、全体的にデルマトームＬ４に接触することが好ましいが、大部分がデルマトームＬ４に接触する限り、一部がデルマトームＬ５に接触していてもよい。
【００５３】
上述のような位置に配置されるように、第１電極パッド４１および第２電極パッド４２を使用者の体表面に接触させて、電流を流すことにより、効果的に疼痛緩和効果を得ることができる。
【００５４】
以上のように、実施の形態１に係る電気治療器１００にあっては、保持部材２０にマーク部３０を設けた簡易な構成である。このような簡易な構成で、マーク部３０を右膝蓋骨の中心を通る仮想線ＶＬ１に位置合わせすることにより、第１電極パッド４１および第２電極パッド４２を生体表面の適切な位置に導くことができる。
【００５５】
なお、実施の形態１に係る電気治療器１００にあっては、右下肢に巻き付け可能に構成される場合を例示して説明したが、これに限定されず、左下肢に巻き付け可能に構成されていてもよい。
【００５６】
（実施の形態２）
図７は、実施の形態２に係る電気治療器の平面図を示す図である。図７を参照して、実施の形態２に係る電気治療器１００Ａについて説明する。
【００５７】
図７に示すように、実施の形態２に係る電気治療器１００Ａは、実施の形態１に係る電気治療器１００Ａと比較した場合に、胴部に装着可能に構成されている点が、主として相違する。その他の構成については、ほぼ同様である。
【００５８】
保持部材２０は、使用者の胴部に巻き付け可能に構成されている。保持部材２０は、第１電極パッド４１および第２電極パッド４２を保持するとともに、第１電極パッド４１および第２電極パッド４２が使用者の体表面に押し当てられた状態を維持する。
【００５９】
保持部材２０は、位置合わせ部としてのプレート部３０Ａを有する。プレート部３０Ａは、長さ方向における保持部材２０の略中央に設けられている。プレート部３０Ａは、保持部材２０の幅方向に沿って延在する。プレート部３０Ａは、たとえば、可撓性を有する樹脂部材によって構成されている。
【００６０】
プレート部３０Ａは、保持部材２０の第１主面２０ａに設けられている。なお、プレート部３０Ａは、第２主面２０ｂ側に設けられていてもよい。第１電極パッド４１および第２電極パッド４２は、プレート部３０Ａに対してほぼ対称の位置に設けられている。
【００６１】
図８は、実施の形態２に係る電気治療器を腰に巻き付けた際に第１電極パッドおよび第２電極パッドが生体表面に接触する位置とデルマトームとの関係を示す図である。
【００６２】
図８に示すように、電気治療器１００Ａを胴に巻き付ける際には、プレート部３０Ａが使用者の背骨に重なるように、保持部材２０を巻き付ける。この際、保持部材２０の上端を使用者のへそに合わせることが好ましい。使用者の背骨およびへそは、基準位置となる。
【００６３】
プレート部３０Ａが設けられている部分は、プレート部３０Ａが設けられていない部分の保持部材２０と比べて剛性が高くなっている。このため、使用者は、剛性が高い部分が背中に接触する感触によって、プレート部３０Ａが背骨に重なっていることを感覚的に確認することができる。
【００６４】
背骨に重なるようにプレート部３０Ａを位置合わせすることにより、第１電極パッド４１が第１目標位置に導かれ、第２電極パッド４２が第２目標位置に導かれる。
【００６５】
具体的には、第１電極パッド４１は、少なくともデルマトームＬ３に接触する。より詳細には、第１電極パッド４１は、たとえば、後方側から見て背中の左側に位置するデルマトームＬ１〜Ｌ４に跨る。同様に、第２電極パッド４２は、少なくともデルマトームＬ３に接触する。より詳細には、第２電極パッド４２は、後方側から見て背中の右側に位置するデルマトームＬ１〜Ｌ４に跨る。
【００６６】
上述のような位置に配置されるように、第１電極パッド４１および第２電極パッド４２を使用者の体表面に接触させて、電流を流すことにより、特にヘルニア等の腰痛を効果的に治療することが可能となる。
【００６７】
以上のように、実施の形態２に係る電気治療器１００Ａにあっては、保持部材２０に位置合わせ部としてプレート部３０Ａを設けた簡易な構成である。このような簡易な構成で、保持部材２０の上端をへそに合わせたり、プレート部３０Ａを背骨に重なるように位置合わせしたりすることにより、第１電極パッド４１および第２電極パッド４２を生体表面の適切な位置に導くことができる。
【００６８】
（実施の形態３）
図９は、実施の形態３に係る電気治療器を両手に装着した装着状態を示す概略図である。図９を参照して、実施の形態３に係る電気治療器１００Ｂについて説明する。
【００６９】
図９に示すように、実施の形態３に係る電気治療器１００Ｂは、実施の形態１に係る電気治療器１００と比較した場合に、保持部材２０Ｂの形状が相違する。その他の構成は、ほぼ同様である。
【００７０】
保持部材２０Ｂは、長手袋形状を有する。保持部材２０Ｂは、先端側に設けられた指部２８および基端側に設けられた前腕部２９を有する。指部２８は、使用者の指を挿入可能に構成されている。前腕部２９は、使用者の前腕を挿入可能に構成されている。第１電極パッド４１および第２電極パッド４２は、前腕部２９の内側に設けられている。第１電極パッド４１および第２電極パッド４２は、たとえば、先端から基端側に向かう保持部材２０Ｂの長さ方向に沿って並んで配置されている。
【００７１】
上記指部２８は、位置合わせ部として機能する。当該指部２８に使用者の指を挿入することにより、第１電極パッド４１を第１目標位置に導くことができ、第２電極パッド４２を第２目標位置に導くことができる。使用者の指は、基準位置となる。
【００７２】
図１０は、図９に示す装着状態において第１電極パッドおよび第２電極パッドが生体表面に接触する位置とデルマトームとの関係を示す図である。
【００７３】
図１０に示すように、指部２８に使用者の指が挿入されて位置合わせが行なわれた状態にあっては、第１電極パッド４１および第２電極パッド４２は、少なくともデルマトームＣ７に接触する。この状態で電流を流すことにより、特に肘および肩の疼痛を効果的に治療することができる。
【００７４】
以上のように、実施の形態３に係る電気治療器１００Ｂにあっては、保持部材２０Ｂを手袋形状とし、その指部を位置合わせに用いる簡易な構成である。このような簡易な構成で、保持部材２０Ｂを手から前腕に装着することで、第１電極パッド４１および第２電極パッド４２を生体表面の適切な位置に導くことができる。
【００７５】
［付記］
以上のように、本実施形態は以下のような開示を含む。
【００７６】
［構成１］
電流を生体に供給するための第１電極パッド（４１）および第２電極パッド（４２）と、
前記第１電極パッド（４１）および前記第２電極パッド（４２）を保持するとともに、前記第１電極パッド（４１）および前記第２電極パッド（４２）が生体表面に押し当てられた状態を維持するための保持部材（２０、２０Ｂ）と、を備え、
前記保持部材（２０、２０Ｂ）は、前記第１電極パッド（４１）および前記第２電極パッド（４２）を生体表面に押し当てる際に、生体表面の第１目標位置に前記第１電極パッド（４１）を導き、生体表面の第２目標位置に前記第２電極パッド（４２）を導くための位置合わせ部（３０、３０Ａ、２８）を有し、
前記位置合わせ部（３０、３０Ａ、２８）を生体の基準位置に位置合わせすることにより、前記第１電極パッド（４１）および前記第２電極パッド（４２）は、疼痛を緩和可能なデルマトームに導かれる、電気治療器。
【００７７】
［構成２］
前記保持部材（２０）は、下肢に巻付け可能に構成されるとともに、下肢に巻き付けた巻付状態において周方向となる長さ方向を有し、
前記第１電極パッド（４１）は、前記位置合わせ部（３０、３０Ａ）に対して前記長さ方向の一方側に配置されており、
前記第２電極パッド（４２）は、前記位置合わせ部（３０、３０Ａ）に対して前記長さ方向の他方側に配置されている、構成１に記載の電気治療器。
【００７８】
［構成３］
前記長さ方向における前記位置合わせ部（３０）から前記第１電極パッド（４１）までの距離と、前記長さ方向における前記位置合わせ部から前記第２電極パッド（４２）までの距離とが互いに異なる、構成２に記載の電気治療器。
【００７９】
［構成４］
前記第１電極パッド（４１）および前記第２電極パッド（４２）は矩形形状を有し、
使用者の正面から見た場合に膝橈骨（２１５）の中心を下肢に沿って通過する仮想線に前記位置合わせ部が重なるように前記保持部材（２０）が膝に巻き付けられた巻付状態において、前記第１電極パッド（４１）の上端および前記第２電極パッド（４２）の上端が膝蓋骨の下端から１０ｍｍ下方に位置し、前記位置合わせ部（３０）寄りに位置する前記第１電極パッド（４１）の端部が前記仮想線に重なり、前記位置合わせ部（３０）寄りに位置する前記第２電極パッド（４２）の端部が前記仮想線から３０ｍｍ離れて位置する、構成３に記載の電気治療器。
【００８０】
以上、今回開示された実施の形態はすべての点で例示であって制限的なものではない。本開示の範囲は特許請求の範囲によって示され、特許請求の範囲と均等の意味および範囲内でのすべての変更が含まれる。
【符号の説明】
【００８１】
１０  本体部、１１  電流供給部、１２  筐体、１３  電源ボタン、１４  調整ボタン、２０，２０Ｂ  保持部材、２０ａ  第１主面、２０ｂ  第２主面、２１  第１部材、２２  第２部材、２３，２４  窓部、２５  面ファスナ、２６，２７  開口部、２８  指部、２９  前腕部、３０  マーク部、３０Ａ  プレート部、４１  第１電極パッド、４２  第２電極パッド、４４  配線部、１００，１００Ａ，１００Ｂ  電気治療器、１１０  回路基板、１１１  第１端子、１１２  第２端子、２１５  右膝蓋骨。
【図１】
2019103734.tif 000003
【図２】
2019103734.tif 000004
【図３】
2019103734.tif 000005
【図４】
2019103734.tif 000006
【図５】
2019103734.tif 000007
【図６】
2019103734.tif 000008
【図７】
2019103734.tif 000009
【図８】
2019103734.tif 000010
【図９】
2019103734.tif 000011
【図１０】
2019103734.tif 000012